(57)【要約】【課題】薬箱の使用状態や薬の服用状況をリアルタイムで管理することが可能な薬箱及び薬服用支援システムを提供すること。【解決手段】本発明は、薬収納部と、薬収納部を設置可能な本体部と、管理サーバと通信可能な通信部と、を備えた薬箱であって、薬収納部は、薬を開口部分から収納可能な複数の小部屋と、閉じられた状態において複数の小部屋の各々の前記開口部分を塞ぐように構成された開閉扉と、を含み、本体部は、開閉扉が閉じられている状態において開閉扉をロック／ロック解除可能なロック機構を含み、薬箱は、ロック機構によって開閉扉がロックされている状態において開閉扉が開かれたことを検出した場合、開閉扉がロックされている状態において開閉扉が開かれた旨を示す通知を管理サーバに送信するように構成されていることを特徴とする。【選択図】図２
2018183351.tif 000002
【特許請求の範囲】
【請求項１】
薬収納部と、前記薬収納部を設置可能な本体部と、管理サーバと通信可能な通信部と、を備えた薬箱であって、
前記薬収納部は、薬を開口部分から収納可能な複数の小部屋と、閉じられた状態において前記複数の小部屋の各々の前記開口部分を塞ぐように構成された開閉扉と、を含み、
前記本体部は、前記開閉扉が閉じられている状態において前記開閉扉をロック／ロック解除可能なロック機構を含み、
前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されていることを特徴とする薬箱。
【請求項２】
前記薬箱は、前記ロック機構によって前記開閉扉がロックされている状態において前記開閉扉が開かれた場合において、前記複数の小部屋に収納された薬が取り出されたことを検出した場合には、前記薬が取り出された旨を示す通知及び前記複数の小部屋における薬の有無の状態を示す薬収納情報を前記管理サーバに送信するように構成されていることを特徴とする請求項１に記載の薬箱。
【請求項３】
前記薬箱の前記通信部は、携帯端末を介して前記管理サーバと通信可能であることを特徴とする請求項１又は２に記載の薬箱。
【請求項４】
薬箱と、管理サーバと、を備えた薬服用支援システムであって、
前記薬箱は、薬収納部と、前記薬収納部を設置可能な本体部と、前記管理サーバと通信可能な通信部と、を含み、
前記薬収納部は、薬を開口部分から収納可能な複数の小部屋と、閉じられた状態において前記複数の小部屋の各々の前記開口部分を塞ぐように構成された開閉扉と、を含み、
前記本体部は、前記開閉扉が閉じられている状態において前記開閉扉をロック／ロック解除可能なロック機構を含み、
前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されていることを特徴とする薬服用支援システム。
【請求項５】
前記薬箱は、前記ロック機構によって前記開閉扉がロックされている状態において前記開閉扉が開かれた場合において、前記複数の小部屋に収納された薬が取り出されたことを検出した場合には、前記薬が取り出された旨を示す通知及び前記複数の小部屋における薬の有無の状態を示す薬収納情報を前記管理サーバに送信するように構成されていることを特徴とする請求項４に記載の薬服用支援システム。
【請求項６】
前記薬服用支援システムは、携帯端末をさらに備え、
前記薬箱の前記通信部は、前記携帯端末を介して前記管理サーバと通信可能であることを特徴とする請求項４又は５に記載の薬服用支援システム。
【請求項７】
前記薬箱は、薬箱を識別するための薬箱識別子を記憶する記憶部をさらに含み、
前記管理サーバは、患者の薬の服用スケジュールデータを薬箱識別子に関連付けて記録した服用管理データベースを備え、
前記服用スケジュールデータは、各小部屋に収納された薬の服用タイミングを示すデータを少なくとも含み、
前記薬箱は、前記携帯端末を介して前記記憶部に記憶された薬箱識別子を前記管理サーバに送信するよう構成され、
前記管理サーバは、受信した薬箱識別子に関連付けられた前記服用スケジュールデータを前記携帯端末に送信するように構成され、
前記携帯端末は、受信した服用スケジュールデータを記憶し、当該記憶した服用スケジュールデータ内の前記服用タイミングを示すデータに基づいて、前記薬箱の前記ロック機構をロック状態にするためのロック命令又は前記ロック機構によるロックを解除するロック解除命令を前記薬箱に送信するように構成されていることを特徴とする請求項６に記載の薬服用支援システム。
【請求項８】
前記薬収納部は、読み取ることによって前記薬収納部を識別するための薬収納部識別子を取得可能な薬収納部コードが設けられており、
前記本体部は、前記薬収納部コードを読み取り可能なコード読み取り部を備え、
前記服用スケジュールデータは、前記薬収納部について定められた設置期間データと、前記設置期間データに関連付けられた薬収納部識別子と、をさらに含み、
前記薬箱は、前記薬収納部コードを読み取ることによって前記薬収納部識別子を取得した場合、前記取得した薬収納部識別子を前記携帯端末に送信し、
前記携帯端末は、
前記記憶した服用スケジュールデータにおける現在の日時に対応する設置期間データに関連付けられた薬収納部識別子と、前記取得した薬収納部識別子とが一致するかどうかを判定し、
前記関連付けられた薬収納部識別子と前記取得した薬収納部識別子とが一致しない場合、設置期間中ではない薬収納部が設置された旨を示す情報を前記管理サーバに送信する、
ように構成されていることを特徴とする請求項７に記載の薬服用支援システム。
【発明の詳細な説明】
【技術分野】
【０００１】
本発明は、調剤薬局で処方した薬を患者が飲み忘れないように薬の服用を支援するシステムに関し、より詳細には、薬の服用状況をリアルタイムで管理することができる薬箱及び薬服用支援システムに関する。
【背景技術】
【０００２】
例えば高齢者などの患者に処方した薬が正しく服用されているかどうかの状況を、詳細に管理するシステムが必要とされている。特に、患者の薬の飲み忘れや飲み残しの有無を管理するシステムが要求されている。
【０００３】
特許文献１は、従来の薬服用支援システムを示す。特許文献１には、薬剤の正しい服用支援のためにスマートフォン等を活用した薬箱システムにおいて、薬剤の服用タイミングの近接を患者に通知し、服用タイミングと共に薬が入った小部屋の施錠を解除するとともに、外部サーバで患者の服用履歴情報を記録・更新して、患者の服用状況を確認可能な薬服用支援システムが記載されている。
【先行技術文献】
【特許文献】
【０００４】
【特許文献１】特開２０１５−２４０４０号公報
【発明の概要】
【発明が解決しようとする課題】
【０００５】
しかしながら、特許文献１に記載の構成では、服用タイミングでないときに、患者が誤って薬が入った小部屋の施錠を強引に解除しまった場合など、何らかの外的要因により誤って小部屋の施錠扉が開けられて誤った薬を服用してしまったことを通知・管理することができなかった。従って、誤った薬を服用してしまった状態においても、通常通りの薬の服用管理がなされるといった事態が生じていた。
【０００６】
本発明は、上記課題を鑑みてなされたものであり、薬箱の使用状態や薬の服用状況をリアルタイムで管理することができる薬箱及び薬服用支援システムを提供することを目的とする。
【課題を解決するための手段】
【０００７】
上記課題を解決するために、本発明の一態様に係る薬箱は、薬収納部と、前記薬収納部を設置可能な本体部と、管理サーバと通信可能な通信部と、を備えた薬箱であって、前記薬収納部は、薬を開口部分から収納可能な複数の小部屋と、閉じられた状態において前記複数の小部屋の各々の前記開口部分を塞ぐように構成された開閉扉と、を含み、前記本体部は、前記開閉扉が閉じられている状態において前記開閉扉をロック／ロック解除可能なロック機構を含み、前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されていることを特徴とする。
【０００８】
また、本発明の一態様に係る薬服用支援システムは、薬箱と、管理サーバと、を備えた薬服用支援システムであって、前記薬箱は、薬収納部と、前記薬収納部を設置可能な本体部と、前記管理サーバと通信可能な通信部と、を含み、前記薬収納部は、薬を開口部分から収納可能な複数の小部屋と、閉じられた状態において前記複数の小部屋の各々の前記開口部分を塞ぐように構成された開閉扉と、を含み、前記本体部は、前記開閉扉が閉じられている状態において前記開閉扉をロック／ロック解除可能なロック機構を含み、前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されていることを特徴とする。
【発明の効果】
【０００９】
本発明によると、薬箱の使用状態や薬の服用状況をリアルタイムで管理することが可能となり、患者が誤った使用方法で薬箱を使用した場合や、誤った薬を服用した場合であっても、迅速に対応することが可能となる。
【図面の簡単な説明】
【００１０】
【図１】本発明に係る薬服用管理システムの概略図である。
【図２】本発明の実施例１に係る薬箱の構成を示す図である。
【図３】本発明に係る薬箱の機能ブロック図である。
【発明を実施するための形態】
【００１１】
（実施例１）
［システム構成］
図１は、本発明に係る薬服用管理システムを示す。図１には、薬箱１と、通信端末２と、管理サーバ３と、外部端末４と、を含む薬服用支援システムが示されている。
【００１２】
通信端末２は、薬箱１の使用者が携帯する携帯端末とすることができ、例えばＢｌｕｅｔｏｏｔｈ（登録商標）等の近距離無線通信を利用して薬箱１と通信可能に構成されており、また、ネットワーク５を介して管理サーバ３と通信可能に構成されている。通信端末２は、例えば、スマートフォン、ＰＣ、タブレット端末などで構成され、ＣＰＵ、メモリ、入力装置および表示装置などを備える。
【００１３】
管理サーバ３は、薬の服用管理データを管理するための服用管理データベース６を備える。服用管理データベース６には、詳細は後述するように、患者の薬の服用スケジュールデータと、患者が今まで使用した薬の種類、量、時間などの服用履歴と、薬収納部１１０が適切にロックされていない旨を示す情報と、薬袋１１が取り出されていない旨を示す情報と、取り出した薬袋１１が元の小部屋１１１に戻されない及び／又は照明部１２２が点灯している小部屋１１１にセットされた薬が取り出されない旨を示す情報と、各小部屋１１１における薬袋１１の有無を示す薬収納情報と、を含む服用管理データが患者識別子及び薬箱識別子に関連付けられて記録されている。
【００１４】
管理サーバ３は、外部端末４から服用管理データベース６へのアクセス要求を受けた場合に、正当な権限を有するかどうかの認証を行い、正当な権限を有するもののみにアクセスを許可することができる。
【００１５】
外部端末４は、例えば病院や調剤薬局に設置される端末とすることができ、ＣＰＵ、記憶装置、入力装置および表示装置などを備える。外部端末４は、管理サーバ３の服用管理データベース６にアクセス要求をすることができ、アクセスが許可された場合に服用管理データベース６に記録された服用管理データを表示することができる。また、外部端末４は、患者の服用スケジュールデータを入力して、管理サーバ３に送信することができる。
【００１６】
［薬箱１の構成］
図２は、本発明の実施例１に係る薬箱の構成を示す。図２に示されるように、薬箱１は、薬収納部１１０と、薬収納部１１０を設置可能な本体部１２０と、を含む。
【００１７】
薬収納部１１０は、薬を小分けしてセット可能な複数の小部屋１１１と、全ての小部屋１１１の開閉を行うように、閉じられた状態において各小部屋１１１の開口部分を上側から塞ぐように構成された開閉扉１１２と、を含む。薬収納部１１０には、読み取ることによって薬収納部１１０を識別するための薬収納部識別子を取得可能な薬収納部コード（不図示）が設けられている。薬収納部コードは、例えば、バーコード等とすることができる。
【００１８】
薬収納部１１０の小部屋１１１は、例えば１回分の薬を含む薬袋１１を収納することができ、上部の開口部分から薬袋１１を取り出し可能に構成されている。図２に示されるように、薬収納部１１０は、例えば、一週間分の薬を収納可能な、４×７の計２８個の小部屋１１１を有することができる。
【００１９】
また、薬収納部１１０は、本体部１２０から取り外し可能に構成されている。そのため、調剤薬局の調剤員が薬収納部１１０に薬をセットすることで、薬がセットされた状態の薬収納部１１０を患者が直接受け取ったり、患者宅に配送したりすることが可能である。それにより、患者は薬がセットされた状態の薬収納部１１０を本体部１２０に設置するだけでよいため、患者が各小部屋１１１に薬をセットする必要がなく、誤った小部屋１１１に薬をセットすることを防止することができる。
【００２０】
本体部１２０は、薬収納部１１０が本体部１２０に適切に設置され、開閉扉１１２が閉じられている状態において、開閉扉１１２をロック／ロック解除するためのロック機構１２１と、薬収納部１１０の各小部屋１１１を照明する複数の照明部１２２と、薬収納部１１０の各小部屋１１１における薬袋の有無を検出する複数のセンサ部１２３と、アラーム音を発するアラーム部１２４と、薬収納部１１０が本体部１２０に適切に設置された場合に読み取り可能となるように薬収納部１１０に設けられた薬収納部コードを読み取り可能なコード読み取り部（不図示）と、を含む。また、本体部１２０は、通信端末２として携帯端末を用いた場合に携帯端末を設置可能な端末設置部１２５を有することもできる。  ロック機構１２１は、例えば、薬収納部１１０が本体部１２０に適切に設置された状態において開閉扉１１２の開動を妨げるように突出可能なロック用プレート１２１ａを含むことができる。ロック用プレート１２１ａを、開閉扉１１２が閉じられている状態において開閉扉１１２の上側で出し入れすることにより、ロック機構１２１によるロック／ロック解除が可能である。また、薬収納部１１０が本体部１２０に適切に設置されている状態において、ロック機構１２１をロック状態にすることにより、薬収納部１１０を本体部１２０から取り外しできなくすることが可能である。
【００２１】
ロック機構１２１のロック用プレート１２１ａは、後述する制御部２０３によって自動操作が可能である。また、ロック機構１２１は、通信端末２からロック／ロック解除命令を薬箱１に送信することによりロック／ロック解除可能である。このとき、通信端末２は、通信端末２に登録されている利用者以外は、ロック／ロック解除できないように、例えば指紋認証、音声認証、画像認証等によりアクセス制限を課すこともできる。
【００２２】
また、薬箱１は、開閉扉１１２をロック状態にするようにロック用プレート１２１ａを突出させる状態において、開閉扉１１２が適切に閉じられている場合には、ロック用プレート１２１ａが突出していない状態から所定の長さだけロック用プレート１２１ａが突出するように構成される。例えば、開閉扉１１２は、開閉扉１１２が適切に閉じられている状態において、ロック用プレート１２１ａが所定の長さだけ突出した際に接触可能な突起部を備えることができる。
【００２３】
ロック機構１２１は、ロック用プレート１２１ａが所定の長さだけ突出したかどうかを検出するプレート位置検出部（不図示）を備えることができる。薬箱１は、開閉扉１１２をロック状態にするようにロック用プレート１２１ａを突出させる状態において、ロック用プレート１２１ａが所定の長さだけ突出しているかをプレート位置検出部が検出したかどうかに基づいて、開閉扉１１２が適切に閉じられているかを検出することができる。例えば、開閉扉１１２が開いた状態でロック用プレート１２１ａを突出させた場合には、開閉扉１１２の突起部にロック用プレート１２１ａが接触せずに、ロック用プレート１２１ａが所定の長さを超えて突出したことがプレート位置検出部によって検出されるため、薬箱１は開閉扉１１２が適切に閉じられていないことを検出することができる。
【００２４】
照明部１２２は、薬収納部１１０の各小部屋１１１を照明するように各小部屋１１１の下面部分に対応する位置に設けられている。照明部１２２は、例えばＬＥＤを用いることができる。
【００２５】
センサ部１２３は、薬収納部１１０の各小部屋１１１における薬袋の有無を検出するように各小部屋１１１の下面部分に対応する位置に設けられている。センサ部１２３は、例えば、フォトリフレクタを用いて、薬袋の有無を検知することができる。
【００２６】
図３は、本発明に係る薬箱の機能ブロック図を示す。図３に示されるように、薬箱１は、通信部２０１と、記憶部２０２と、制御部２０３と、を含む。
【００２７】
通信部２０１は、例えばＢｌｕｅｔｏｏｔｈ（登録商標）等の近距離無線通信を利用して通信端末２と通信可能に構成されており、また、通信端末２を介して管理サーバ３と通信可能に構成することができる。
【００２８】
記憶部２０２は、薬箱１を制御するための制御プログラム等を格納している。また、記憶部２０２は、各小部屋１１１における薬袋１１の有無の状態を記憶している。さらに、記憶部２０２は、例えば通信端末２を用いて初期設定された、患者を識別するための患者識別子及び患者が使用する薬箱１を識別するための薬箱識別子を記憶している。
【００２９】
制御部２０３は、記憶部２０２に格納された制御プログラムに基づいて薬箱１を制御する。また、制御部２０３は、時計などの計時機能を備えることができる。
【００３０】
［システム動作］
次に、本発明における薬服用支援システムの動作を説明する。  
まず、外部端末４は、調剤薬局の調剤員等によって入力された、患者の服用スケジュールデータを、患者識別子及び患者が使用する薬箱１の薬箱識別子に関連付けて管理サーバ３に送信する。服用スケジュールデータは、例えば、各小部屋１１１の小部屋番号と、各小部屋１１１に収納された薬の種類、量及び服用タイミング（服用日及び服用時刻を含む）と、を含む。服用スケジュールデータにおいては、薬の種類、量及び服用タイミングは、各小部屋１１１の小部屋番号と関連付けられている。管理サーバ３は、患者識別子及び薬箱識別子が関連付けられた服用スケジュールデータを服用管理データベース６に記録する。
【００３１】
次に、薬がセットされた状態の薬収納部１１０を患者が受け取り、当該薬収納部１１０が本体部１２０に適切に設置されて本体部１２０のコード読み取り部によって薬収納部１１０に設けられた薬収納部コードが読み取られると、薬箱１は、薬収納部コードを読み取ったことに応答して、通信端末２に対して通信を試みる。通信端末２との通信が可能ではない場合、薬箱１はアラーム音を発し、通信端末２を薬箱１に近接させるように患者に促す。当該アラーム音は、通信端末２との通信が可能となるか、又は当該アラーム音が発せられてから所定時間経過するまで継続する。
【００３２】
通信端末２との通信が可能である場合、薬箱１は、薬収納部１１０が本体部１２０に適切に設置された旨を示す情報を、患者識別子及び薬箱識別子に関連付けて、通信端末２を介して管理サーバ３に送信する。
【００３３】
管理サーバ３は、当該適切に設置された旨を示す情報を受信したことに応答して、当該情報に関連付けられた患者識別子及び薬箱識別子に対応する服用スケジュールデータを通信端末２に送信する。通信端末２は、受信した服用スケジュールデータを記録し、ロック機構１２１をロック状態にするためのロック命令を薬箱１に送信する。薬箱１は、ロック命令を受信したことに応答して、ロック機構１２１をロック用プレート１２１ａが突出した状態にする。
【００３４】
また、薬箱１は、ロック機構１２１によって薬収納部１１０が適切にロックされたかどうかを判定する。適切にロックされたと判定された場合、薬箱１は待機状態となる。適切にロックされていないと判定された場合、薬箱１は、アラーム音を発して、薬収納部１１０を本体部１２０に適切に設置するように患者に促す。当該アラーム音は、薬収納部１１０が適切にロックされるか、又は当該アラーム音を発してから所定時間経過するまで継続する。
【００３５】
当該アラーム音を発してから所定時間経過後も薬収納部１１０が適切にロックされていない状態が継続した場合、薬箱１は、アラーム音を停止し、薬収納部１１０が適切にロックされていない旨を示す情報を、患者識別子及び薬箱識別子に関連付けて、通信端末２を介して管理サーバ３及び外部端末４に送信する。
【００３６】
管理サーバ３は、当該情報を受信したことに応答して、服用管理データベース６において、当該情報をその受信日時とともに、当該情報に関連付けられた患者識別子及び薬箱識別子に対応する服用管理データに追加する。外部端末４は、当該情報を受信したことに応答して、その旨を示す通知を表示する。
【００３７】
通信端末２は、現在時刻が服用タイミングになった場合、開閉扉１１２のロック機構１２１をロック解除するためのロック解除命令と、該当する服用タイミングに関連付けられた小部屋番号に対応する小部屋１１１に設置された照明部１２２を点灯させる点灯命令と、を薬箱１に送信する。
【００３８】
薬箱１は、ロック解除命令及び点灯命令を受信したことに応答して、ロック機構１２１をロック解除し、対応する小部屋１１１に設置された照明部１２２を点灯させ、照明部１２２が点灯している小部屋１１１にセットされた薬を取り出すように患者に促す。
【００３９】
ロック機構１２１がロック解除されると、薬箱１は、所定時間内に小部屋１１１にセットされた薬袋１１が取り出されたか否かを判定する。所定時間内に小部屋１１１にセットされた薬袋１１が取り出されていないと判定された場合には、薬箱１はアラーム音を発して、照明部１２２が点灯している小部屋１１１にセットされた薬を取り出すように患者に促す。当該アラーム音は、小部屋１１１にセットされた薬袋１１が取り出されたことを検出するか、又は当該アラーム音を発してから所定時間経過するまで継続する。
【００４０】
当該アラーム音を発してから所定時間経過後も小部屋１１１にセットされた薬袋１１が取り出されていない状態が継続した場合、薬箱１は、アラーム音を停止し、薬袋１１が取り出されていない旨を示す情報を、患者識別子及び薬箱識別子に関連付けて、通信端末２を介して管理サーバ３及び外部端末４に送信する。
【００４１】
管理サーバ３は、当該情報を受信したことに応答して、服用管理データベース６において、当該情報をその受信日時とともに、当該情報に関連付けられた患者識別子及び薬箱識別子に対応する服用管理データに追加する。外部端末４は、当該情報を受信したことに応答して、その旨を示す通知を表示する。
【００４２】
小部屋１１１にセットされた薬袋１１が取り出されたと判定された場合、薬袋１１が取り出された小部屋１１１が、照明部１２２が点灯している小部屋１１１であるかどうかを判定する。照明部１２２が点灯している小部屋１１１であると判定された場合、当該判定がなされてから所定時間経過後、ロック機構１２１をロック用プレート１２１ａが突出した状態にする。
【００４３】
照明部１２２が点灯している小部屋１１１ではないと判定された場合、薬箱１は、アラーム音を発して、取り出した薬袋１１を元の小部屋１１１に戻して照明部１２２が点灯している小部屋１１１にセットされた薬を取り出すように患者に促す。当該アラーム音は、取り出した薬袋１１が元の小部屋１１１に戻されて照明部１２２が点灯している小部屋１１１の薬袋１１が取り出されたことを検出するか、又は当該アラーム音を発してから所定時間経過するまで継続する。
【００４４】
当該アラーム音を発してから所定時間経過後も、取り出した薬袋１１が元の小部屋１１１に戻されない及び／又は照明部１２２が点灯している小部屋１１１にセットされた薬が取り出されない状態が継続した場合、薬箱１は、アラーム音を停止し取り出した薬袋１１が元の小部屋１１１に戻されない及び／又は照明部１２２が点灯している小部屋１１１にセットされた薬が取り出されない旨を示す情報を、患者識別子及び薬箱識別子に関連付けて、通信端末２を介して管理サーバ３及び外部端末４に送信する。
【００４５】
管理サーバ３は、当該情報を受信したことに応答して、服用管理データベース６において、当該情報をその受信日時とともに、当該情報に関連付けられた患者識別子及び薬箱識別子に対応する服用管理データに追加する。外部端末４は、当該情報を受信したことに応答して、その旨を示す通知を表示する。
【００４６】
取り出した薬袋１１が元の小部屋１１１に戻されて照明部１２２が点灯している小部屋１１１の薬袋１１が取り出されたことを検出した場合、薬箱１は、通信端末２を介して各小部屋１１１における薬袋１１の有無を示す薬収納情報を患者識別子及び薬箱識別子に関連付けて管理サーバ３に送信するとともに、当該検出から所定時間経過後、ロック機構１２１をロック用プレート１２１ａが突出した状態にする。
【００４７】
管理サーバ３は、薬収納情報を受信したことに応答して、服用管理データベース６において、当該薬収納情報をその受信日時とともに、薬収納情報に関連付けられた患者識別子及び薬箱識別子に対応する服用管理データに追加する。
【００４８】
ロック用プレート１２１ａが突出した状態となった場合、薬箱１は、ロック機構１２１によって薬収納部１１０が適切にロックされたかどうかを判定する。
【００４９】
適切にロックされていないと判定された場合、薬箱１は、薬収納部１１０が適切にロックされるまでアラーム音を発して、薬収納部１１０を本体部１２０に適切にセットするように患者に促す。
【００５０】
当該アラーム音を発してから所定時間経過後も薬収納部１１０が適切にロックされていないと判定された状態が継続した場合、薬箱１は、アラーム音を停止し、薬収納部１１０が適切にロックされていない旨を示す情報を、患者識別子及び薬箱識別子に関連付けて、通信端末２を介して管理サーバ３及び外部端末４に送信する。
【００５１】
管理サーバ３は、当該情報を受信したことに応答して、服用管理データベース６において、当該情報をその受信日時とともに、当該情報に関連付けられた患者識別子及び薬箱識別子に対応する服用管理データに追加する。外部端末４は、当該情報を受信したことに応答して、その旨を示す通知を表示する。
【００５２】
薬収納部１１０が適切にロックされたと判定された場合、薬箱１は、現在の薬収納情報を記憶して、各小部屋１１１における薬袋１１の有無の状態を更新する。そして、薬箱１は、後述するように開閉扉１１２が誤って開けられるか、又は次の服用タイミングまで、待機状態となる。
【００５３】
通信端末２は、服用スケジュールデータにおける最後の服用タイミングを経過した場合、薬箱１のロック機構１２１のロック解除命令を薬箱１に送信する。薬箱１は、ロック解除命令を受信したことに応答して、ロック機構１２１によるロックを解除して、薬収納部１１０を本体部１２０から取り外し可能な状態にする。
【００５４】
ここで、服用スケジュールデータにおける薬の服用タイミングではなく、開閉扉１１２がロック機構１２１によってロックされている状態において、ロック状態にもかかわらず患者によって開閉扉１１２が誤って開けられた場合、薬箱１は、所定時間が経過するまでアラーム音を発するとともに、開閉扉１１２が誤って開けられた旨を示す情報を、患者識別子及び薬箱識別子に関連付けて、通信端末２を介して管理サーバ３及び外部端末４に送信する。
【００５５】
管理サーバ３は、当該情報を受信したことに応答して、服用管理データベース６において、当該情報をその受信日時とともに、当該情報に関連付けられた患者識別子及び薬箱識別子に対応する服用管理データに追加する。外部端末４は、当該情報を受信したことに応答して、その旨を示す通知を表示する。
【００５６】
また、上記開閉扉１１２が誤って開けられた場合であって、小部屋１１１に収納された薬袋１１が誤って取り出されたことが検出された場合、薬箱１は、現在の薬収納情報を記憶して、各小部屋１１１における薬袋１１の有無の状態を更新し、当該更新した現在の薬収納情報を、患者識別子及び薬箱識別子に関連付けて、通信端末２を介して管理サーバ３に送信する。さらに、薬箱１は、薬袋１１が誤って取り出された旨を示す情報を、患者識別子及び薬箱識別子に関連付けて、通信端末２を介して管理サーバ３及び外部端末４に送信する。
【００５７】
管理サーバ３は、薬収納情報及び薬袋１１が誤って取り出された旨を示す情報を受信したことに応答して、服用管理データベース６において、薬収納情報をその受信日時とともに、薬収納情報に関連付けられた患者識別子及び薬箱識別子に対応する服用管理データに追加する。外部端末４は、薬袋１１が誤って取り出された旨を示す情報を受信したことに応答して、その旨を示す通知を表示する。
【００５８】
以上のように、開閉扉１１２が誤って開けられた場合にその旨を通知し、また薬袋１１が誤って取り出された場合にそのときの薬収納情報を送信することにより、薬の服用状況をリアルタイムで管理することができる。それにより、例えば、開閉扉１１２が誤って開けられた旨を示す通知や薬収納情報を閲覧した調剤薬局の調剤員等は、患者に薬箱１を正しく使用するように連絡したり、その患者宅に訪問して薬箱１が適切な使用状態となるように設定し直したりすることを、迅速に行うことが可能となる。
【００５９】
なお、上記実施例では、薬箱１のアラーム部１２４がアラーム音を発するように構成したが、通信端末２がアラーム音を発するように構成してもよい。また、通信端末２とウェアラブル端末（例えば、スマートリストバンド等）を接続することにより、薬箱１の近くに患者がいなくても、服用タイミングを知らせるように構成してもよい。
【００６０】
（実施例２）
以下、実施例２に係る薬箱について説明する。実施例２に係る薬箱は、例えば数週間分の薬が処方されて複数の薬収納部１１０を患者が調剤薬局から受け取った場合に、本体部１２０に設置する薬収納部１１０を誤ることなく適切な薬収納部１１０を本体部１２０に設置できるようにしたものである。
【００６１】
実施例２に係る薬箱１では、薬収納部コードは、読み取られることによって薬収納部１１０を識別するための薬収納部識別子をさらに取得可能に構成されている。また、服用スケジュールデータは、各薬収納部１１０について異なる期間で定められた設置期間データと、各設置期間データに関連付けられた薬収納部識別子と、をさらに含む。薬収納部コードは、例えば、バーコードやＱＲコード（登録商標）とすることができる。
【００６２】
以下、実施例２に係る薬箱１の動作について説明する。上記実施例１と同様にして、薬がセットされた状態の薬収納部１１０を患者が受け取り、当該薬収納部１１０が本体部１２０に適切に設置されると、薬箱１は、薬収納部１１０に設けられた薬収納部コードを読み取ることにより、設置された薬収納部１１０に対応する薬収納部識別子を取得する。そして、薬箱１は、通信端末２との通信を試み、通信が可能である場合に、薬収納部１１０が本体部１２０に適切に設置された旨を示す情報を患者識別子及び薬箱識別子に関連付けて、通信端末２を介して管理サーバ３に送信するとともに、当該取得した薬収納部識別子を通信端末２に送信する。通信端末２は、取得した薬収納部識別子を現在の薬収納部識別子として記憶する。
【００６３】
次に、通信端末２が管理サーバ３から服用スケジュールデータを受信すると、受信した服用スケジュールデータに含まれる各設置期間データと現在の日時とを比較し、現在の日時に対応する設置期間データに関連付けられた薬収納部識別子と現在の薬収納部識別子とが一致するかどうか判定する。
【００６４】
現在の日時に対応する設置期間データに関連付けられた薬収納部識別子と現在の薬収納部識別子とが一致しない場合、通信端末２は、薬箱１にアラーム音を発するようにアラーム命令を送信するとともに、設置期間中ではない薬収納部が設置された旨を示す情報を、患者識別子及び薬箱識別子に関連付けて、管理サーバ３及び外部端末４に送信する。
【００６５】
管理サーバ３は、当該情報を受信したことに応答して、服用管理データベース６において、当該情報をその受信日時とともに、当該情報に関連付けられた患者識別子及び薬箱識別子に対応する服用管理データに追加する。外部端末４は、当該情報を受信したことに応答して、その旨を示す通知を表示する。
【００６６】
現在の日時に対応する設置期間データに関連付けられた薬収納部識別子と現在の薬収納部識別子とが一致する場合、通信端末２は、ロック命令を薬箱１に送信する。薬箱１は、ロック命令の受信以降は、実施例１と同様に動作する。
【００６７】
その後、服用スケジュールデータにおける服用期間を経過し、ロック機構１２１によるロックが解除されて、次の薬収納部１１０が本体部１２０に適切に設置された場合、薬箱１は、上記と同様に、取得した薬収納部識別子を通信端末２に送信する。通信端末２では、上記と同様に、薬収納部識別子の一致判定動作及び判定結果に対応した動作がなされる。
【００６８】
以上により、実施例２に係る薬箱によると、例えば数週間分の薬が処方されて複数の薬収納部１１０を患者が調剤薬局から受け取った場合に、本体部１２０に設置する薬収納部１１０を誤ることなく適切な薬収納部１１０を本体部１２０に設置することが可能となる。
【００６９】
上記実施例では、通信端末２を介して薬箱１と管理サーバ３との間の通信を行う例を示したが、これに限定されず、薬箱１の通信部２０１をネットワーク５を介して管理サーバ３と直接通信可能に構成してもよい。この場合、通信端末２による上記記憶・制御動作を薬箱１の記憶部２０２及び制御部２０３が担うように構成してもよい。
【図１】
2018183351.tif 000003
【図２】
2018183351.tif 000004
【図３】
2018183351.tif 000005
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
薬収納部と、前記薬収納部を設置可能な本体部と、管理サーバと通信可能な通信部と、を備えた薬箱であって、
前記薬収納部は、薬を開口部分から収納可能な複数の小部屋と、閉じられた状態において前記複数の小部屋の各々の前記開口部分を塞ぐように構成された開閉扉と、を含み、
前記本体部は、前記開閉扉が閉じられている状態において前記開閉扉をロック／ロック解除可能なロック機構を含み、
前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されており、
前記薬箱は、前記ロック機構によって前記開閉扉がロックされている状態において前記開閉扉が開かれた場合において、前記複数の小部屋に収納された薬が取り出されたことを検出した場合には、前記薬が取り出された旨を示す通知及び前記複数の小部屋における薬の有無の状態を示す薬収納情報を前記管理サーバに送信するように構成されていることを特徴とする薬箱。
【請求項２】
前記薬箱の前記通信部は、携帯端末を介して前記管理サーバと通信可能であることを特徴とする請求項１に記載の薬箱。
【請求項３】
薬箱と、管理サーバと、を備えた薬服用支援システムであって、
前記薬箱は、薬収納部と、前記薬収納部を設置可能な本体部と、前記管理サーバと通信可能な通信部と、を含み、
前記薬収納部は、薬を開口部分から収納可能な複数の小部屋と、閉じられた状態において前記複数の小部屋の各々の前記開口部分を塞ぐように構成された開閉扉と、を含み、
前記本体部は、前記開閉扉が閉じられている状態において前記開閉扉をロック／ロック解除可能なロック機構を含み、
前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されており、
前記薬箱は、前記ロック機構によって前記開閉扉がロックされている状態において前記開閉扉が開かれた場合において、前記複数の小部屋に収納された薬が取り出されたことを検出した場合には、前記薬が取り出された旨を示す通知及び前記複数の小部屋における薬の有無の状態を示す薬収納情報を前記管理サーバに送信するように構成されていることを特徴とする薬服用支援システム。
【請求項４】
前記薬服用支援システムは、携帯端末をさらに備え、
前記薬箱の前記通信部は、前記携帯端末を介して前記管理サーバと通信可能であることを特徴とする請求項３に記載の薬服用支援システム。
【請求項５】
薬箱と、管理サーバと、携帯端末と、を備えた薬服用支援システムであって、
前記薬箱は、薬収納部と、前記薬収納部を設置可能な本体部と、前記管理サーバと通信可能な通信部と、を含み、
前記薬収納部は、薬を開口部分から収納可能な複数の小部屋と、閉じられた状態において前記複数の小部屋の各々の前記開口部分を塞ぐように構成された開閉扉と、を含み、
前記本体部は、前記開閉扉が閉じられている状態において前記開閉扉をロック／ロック解除可能なロック機構を含み、
前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されており、
前記薬箱の前記通信部は、前記携帯端末を介して前記管理サーバと通信可能であり、
前記薬箱は、薬箱を識別するための薬箱識別子を記憶する記憶部をさらに含み、
前記管理サーバは、患者の薬の服用スケジュールデータを薬箱識別子に関連付けて記録した服用管理データベースを備え、
前記服用スケジュールデータは、各小部屋に収納された薬の服用タイミングを示すデータを少なくとも含み、
前記薬箱は、前記携帯端末を介して前記記憶部に記憶された薬箱識別子を前記管理サーバに送信するよう構成され、
前記管理サーバは、受信した薬箱識別子に関連付けられた前記服用スケジュールデータを前記携帯端末に送信するように構成され、
前記携帯端末は、受信した服用スケジュールデータを記憶し、当該記憶した服用スケジュールデータ内の前記服用タイミングを示すデータに基づいて、前記薬箱の前記ロック機構をロック状態にするためのロック命令又は前記ロック機構によるロックを解除するロック解除命令を前記薬箱に送信するように構成されていることを特徴とする薬服用支援システム。
【請求項６】
前記薬収納部は、読み取ることによって前記薬収納部を識別するための薬収納部識別子を取得可能な薬収納部コードが設けられており、
前記本体部は、前記薬収納部コードを読み取り可能なコード読み取り部を備え、
前記服用スケジュールデータは、前記薬収納部について定められた設置期間データと、前記設置期間データに関連付けられた薬収納部識別子と、をさらに含み、
前記薬箱は、前記薬収納部コードを読み取ることによって前記薬収納部識別子を取得した場合、前記取得した薬収納部識別子を前記携帯端末に送信し、
前記携帯端末は、
前記記憶した服用スケジュールデータにおける現在の日時に対応する設置期間データに関連付けられた薬収納部識別子と、前記取得した薬収納部識別子とが一致するかどうかを判定し、
前記関連付けられた薬収納部識別子と前記取得した薬収納部識別子とが一致しない場合、設置期間中ではない薬収納部が設置された旨を示す情報を前記管理サーバに送信する、
ように構成されていることを特徴とする請求項５に記載の薬服用支援システム。
【手続補正２】
【補正対象書類名】明細書
【補正対象項目名】０００７
【補正方法】変更
【補正の内容】
【０００７】
上記課題を解決するために、本発明の一態様に係る薬箱は、薬収納部と、前記薬収納部を設置可能な本体部と、管理サーバと通信可能な通信部と、を備えた薬箱であって、前記薬収納部は、薬を開口部分から収納可能な複数の小部屋と、閉じられた状態において前記複数の小部屋の各々の前記開口部分を塞ぐように構成された開閉扉と、を含み、前記本体部は、前記開閉扉が閉じられている状態において前記開閉扉をロック／ロック解除可能なロック機構を含み、前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されており、前記薬箱は、前記ロック機構によって前記開閉扉がロックされている状態において前記開閉扉が開かれた場合において、前記複数の小部屋に収納された薬が取り出されたことを検出した場合には、前記薬が取り出された旨を示す通知及び前記複数の小部屋における薬の有無の状態を示す薬収納情報を前記管理サーバに送信するように構成されていることを特徴とする。
【手続補正３】
【補正対象書類名】明細書
【補正対象項目名】０００８
【補正方法】変更
【補正の内容】
【０００８】
また、本発明の一態様に係る薬服用支援システムは、薬箱と、管理サーバと、を備えた薬服用支援システムであって、前記薬箱は、薬収納部と、前記薬収納部を設置可能な本体部と、前記管理サーバと通信可能な通信部と、を含み、前記薬収納部は、薬を開口部分から収納可能な複数の小部屋と、閉じられた状態において前記複数の小部屋の各々の前記開口部分を塞ぐように構成された開閉扉と、を含み、前記本体部は、前記開閉扉が閉じられている状態において前記開閉扉をロック／ロック解除可能なロック機構を含み、前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されており、前記薬箱は、前記ロック機構によって前記開閉扉がロックされている状態において前記開閉扉が開かれた場合において、前記複数の小部屋に収納された薬が取り出されたことを検出した場合には、前記薬が取り出された旨を示す通知及び前記複数の小部屋における薬の有無の状態を示す薬収納情報を前記管理サーバに送信するように構成されていることを特徴とすることを特徴とする。
さらに、本発明の他の態様に係る薬服用支援システムは、薬箱と、管理サーバと、携帯端末と、を備えた薬服用支援システムであって、前記薬箱は、薬収納部と、前記薬収納部を設置可能な本体部と、前記管理サーバと通信可能な通信部と、を含み、前記薬収納部は、薬を開口部分から収納可能な複数の小部屋と、閉じられた状態において前記複数の小部屋の各々の前記開口部分を塞ぐように構成された開閉扉と、を含み、前記本体部は、前記開閉扉が閉じられている状態において前記開閉扉をロック／ロック解除可能なロック機構を含み、前記薬箱は、前記ロック機構によって前記開閉扉がロックされている状態において前記開閉扉が開かれたことを検出した場合、前記開閉扉がロックされている状態において前記開閉扉が開かれた旨を示す通知を前記管理サーバに送信するように構成されており、前記薬箱の前記通信部は、前記携帯端末を介して前記管理サーバと通信可能であり、前記薬箱は、薬箱を識別するための薬箱識別子を記憶する記憶部をさらに含み、前記管理サーバは、患者の薬の服用スケジュールデータを薬箱識別子に関連付けて記録した服用管理データベースを備え、前記服用スケジュールデータは、各小部屋に収納された薬の服用タイミングを示すデータを少なくとも含み、前記薬箱は、前記携帯端末を介して前記記憶部に記憶された薬箱識別子を前記管理サーバに送信するよう構成され、前記管理サーバは、受信した薬箱識別子に関連付けられた前記服用スケジュールデータを前記携帯端末に送信するように構成され、前記携帯端末は、受信した服用スケジュールデータを記憶し、当該記憶した服用スケジュールデータ内の前記服用タイミングを示すデータに基づいて、前記薬箱の前記ロック機構をロック状態にするためのロック命令又は前記ロック機構によるロックを解除するロック解除命令を前記薬箱に送信するように構成されていることを特徴とする。